(57)【特許請求の範囲】
【請求項１】
スカート及びネクタイを疑似餌に装着するための取付部材であって、
筒状部と、この筒状部に片持ち梁状に突設された挟持片とを備えており、
上記筒状部の貫通孔部には、ヘッドに設けられる装着部及び鉤素の少なくとも一方が挿通されるように構成されており、
筒状部と挟持片との間が、スカート及びネクタイを挟まれうる挟持空間を構成している疑似餌用の取付部材。
【請求項２】
上記挟持片が、筒状部の長手方向に沿う位置と傾斜する位置とに変位しうる請求項１に記載の取付部材。
【請求項３】
上記挟持片の先端部、及び、上記筒状部における挟持片の先端部に対応する一端部のそれぞれに、係止凸部が形成されており、挟持片の係止凸部は、上記挟持空間と反対側の外周面に位置し、筒状部の係止凸部も、挟持空間と反対側の外周面に位置しており、この係止凸部は、筒状部及び挟持片の外周に弾性リングが嵌着されたとき、この弾性リングに係止しうるものである請求項１又は２に記載の取付部材。
【請求項４】
高比重材料からなるヘッドと、フックアセンブリーと、スカートと、ネクタイと、スカート及びネクタイを装着するための取付部材と、この取付部材の外周に嵌着されうる弾性リングとを備えており、上記取付部材が請求項１から３のいずれかに記載の取付部材である疑似餌。
【発明の詳細な説明】
【技術分野】
【０００１】
本発明は、釣りに用いられる疑似餌に関する。
【背景技術】
【０００２】
従来、カブラと称される疑似餌を用いて、鯛釣りが行われている。鯛釣りに適した疑似餌が、特開２００８−１２５４０７公報、特開２００８−１１３５８２公報等に開示されている。図４は、この従来の疑似餌５１が示された正面図である。この疑似餌５１は、ヘッド５２及び装着具５３を備えている。この装着具５３の両端には、ラインアイ５４及びフックアイ５５が形成されている。ラインアイ５４にはライン５６が連結される、フックアイ５５にはフックアセンブリー５７が連結される。装着具５３には、さらに、スカート５８及びネクタイ５９が取り付けられる。ヘッド５２は鉛合金等の金属から形成される。
【０００３】
フックアセンブリー５７は、鉤素６０及びフック６１を備えている。スカート５８及びネクタイ５９は、ゴムリング６２によって装着具５３のフックアイ５５側に取り付けられる。スカート５８及びネクタイ５９は、ゴムから形成される。装着具５３は、ステンレス鋼等の金属製のワイヤから形成され、ヘッド５２を貫通している。装着具としては、ラインアイとは別体で、ヘッド５２に固着されるものもある。また、装着具５３が用いられず、ヘッド５２の貫通孔に通された長い鉤素６０が、装着具としての機能をも担うことがある。この場合、鉤素６０の端部がライン５６に連結される。そして、ライン５６がヘッド５２の貫通孔の中を通ることができるので、ヘッド５２はラインの上方（竿側）に移動することができる。
【０００４】
この疑似餌５１は、ライン５６が連結された状態で、海底に沈められる。ライン５６が引かれて疑似餌５１が海水中を上昇すると、ヘッド５２のフラッシングが鯛にアピールする。さらに、水圧を受けてスカート５８及びネクタイ５９が揺れ動く。この揺動により、鯛は疑似餌５１を生きた餌と勘違いし、この疑似餌５１を追う。鯛はまず、スカート５８又はネクタイ５９に食いつく。この段階では、フッキングはなされていない。さらに鯛が疑似餌５１に深く食いつき、フック６１が鯛の口に吸い込まれる。このフック６１が鯛に刺さって、鯛が釣り上げられる。
【先行技術文献】
【特許文献】
【０００５】
【特許文献１】特開２００８−１２５４０７公報
【特許文献２】特開２００８−１１３５８２公報
【発明の概要】
【発明が解決しようとする課題】
【０００６】
この疑似餌５１にスカート５８及びネクタイ５９を取り付けるとき、上記ゴムリング６１の内側空洞に、多数本のスカート５８及びネクタイ５９を通す必要がある。ゴムリング６１の伸縮性には限界があるので、上記取り付け作業は大変厄介である。また、別途、リング状に結ばれた糸を用いて、スカート５８及びネクタイ５９をゴムリングの内側空洞に通すこともなされる。この場合、ゴムリングの内側空洞には、鉤素を通すための小さな筒状部材をも装着する必要がある。この一連の取り付け作業も厄介である。
【０００７】
本発明の目的は、装着具や鉤素に対して、スカート及びネクタイを容易に取付つけることができる疑似餌の提供にある。
【課題を解決するための手段】
【０００８】
本発明に係る疑似餌用の取付部材は、
スカート及びネクタイを疑似餌に装着するための取付部材であって、
筒状部と、この筒状部に片持ち梁状に突設された挟持片とを備えており、
上記筒状部の貫通孔部には、ヘッドに設けられる装着部及び鉤素の少なくとも一方が挿通されるように構成されており、
筒状部と挟持片との間が、スカート及びネクタイが挟まれうる挟持空間を構成している。
【０００９】
好ましくは、上記挟持片が、筒状部の長手方向に沿う位置と傾斜する位置とに変位しうる。
【００１０】
好ましくは、上記挟持片の先端部、及び、上記筒状部における挟持片の先端部に対応する一端部のそれぞれに、係止凸部が形成されており、挟持片の係止凸部は、上記挟持空間と反対側の外周面に位置し、筒状部の係止凸部も、挟持空間と反対側の外周面に位置しており、この係止凸部は、筒状部及び挟持片の外周（すなわち取付部材の外周）に弾性リングが嵌着されたとき、この弾性リングに係止しうるものである。
【００１１】
本発明に係る疑似餌は、
高比重材料からなるヘッドと、フックアセンブリーと、スカートと、ネクタイと、スカート及びネクタイを装着するための取付部材と、この取付部材の外周に嵌着されうる弾性リングとを備えており、上記取付部材は、前述したうちのいずれかの取付部材である。
【発明の効果】
【００１２】
本発明によれば、スカート及びネクタイを疑似餌に容易に取り付けることができる。また、取り付けられたスカート及びネクタイは、容易には脱落しない。
【図面の簡単な説明】
【００１３】
【図１】図１は、本発明係る疑似餌の一実施形態を示す一部断面正面図である。
【図２】図２（ａ）は、本発明に係る疑似餌用の取付部材の一実施形態を斜め前方から見た斜視図であり、図２（ｂ）はその右側面図であり、図２（ｃ）はその左側面図である。
【図３】図３は、図１の疑似餌にスカート及びネクタイを取り付ける手順の一例を示す正面図である。
【図４】図４は、従来の疑似餌の一例を示す正面図である。
【発明を実施するための最良の形態】
【００１４】
以下、適宜図面が参照されつつ、好ましい実施形態に基づいて本発明が詳細に説明される。
【００１５】
図１は、本発明の一実施形態に係る疑似餌１が示された正面図である。この疑似餌１は、カブラと称される。この疑似餌１は、ヘッド２及び装着用糸３を含んでいる。装着用糸３は、ヘッド２に形成された貫通孔２ａに挿通されている。この装着用糸３の両端には、ラインアイ４及びフックアイ５が形成されている。ラインアイ４にはライン６が連結される、フックアイ５にはフックアセンブリー７が連結されている。装着用糸３には、さらに、スカート８及びネクタイ９が取り付けられている。ヘッド２は鉛、鉛合金、タングステン、タングステン合金等の金属から形成されている。装着用糸３は、後述の鉤素１０と同様の糸材から形成されている。上記ラインアイ４及びフックアイ５はともに、装着用糸３の一部であり、装着用糸３と同じ糸から形成されている。スカート８及びネクタイ９はゴムから形成されている。
【００１６】
フックアセンブリー７は、鉤素１０及びフック１１を備えている。スカート８及びネクタイ９は、取付部材１２及び弾性リング１３（図１において断面で示されている）によって装着用糸３に取り付けられている。スカート８及びネクタイ９は、装着用糸３のフックアイ５側に取り付けられる。取付部材１２は、ポリアミド、ポリプロピレン等の合成樹脂から形成されている。弾性リング１３はゴムから形成されている。
【００１７】
図２には、上記取付部材１２が示されている。図２（ａ）は取付部材１２の斜め前方から見た斜視図であり、図２（ｂ）はその右側面図であり、図２（ｃ）はその左側面図である。取付部材１２は、円筒形の筒状部１４と、部分円筒形の挟持片１５とを有している。本実施形態に係る挟持片１５は、筒状部１４と同心状で、筒状部１４の外径より大きい直径を有する円弧状断面を有している。しかし、かかる構成には限定されない。挟持片１５は、矩形横断面の平板状であってもよく、三日月状横断面の板状であってもよく、棒状等であってもよい。
【００１８】
挟持片１５の基端部１５ａは、筒状部１４の基端部１４ａの外周面と、連結部１６によって一体的に連結されている。挟持片１５は、筒状部１４の基端部１４ａから片持ち梁状に突設されている。挟持片１５は、筒状部１４の外周から筒状部１４の長手方向に対して鋭角をなして開いた方向に延びている。この挟持片１５は、外力によって筒状部１４の外周面に接することができる。外力が解除されると、挟持片１５は、その基端部１５ａの復元力によってもとの位置（筒状部１４の長手方向に対して鋭角をなす位置）に戻る。
【００１９】
筒状部１４と挟持片１５との間は、スカート８及びネクタイ９を挟みうる挟持空間１７を構成している。換言すれば、挟持片１５の内周面と、これに対向する筒状部１４の外周面の部分とは、スカート８及びネクタイ９を挟みうる挟持部を構成している。一個の筒状部１４に対して、二個の挟持片１５が形成されてもよい。例えば、筒状部１４の外周面における、１８０°離間して対向した位置それぞれに形成されてもよい。
【００２０】
上記筒状部１４の貫通孔部１８には装着用糸３が挿通される。貫通孔部１８は、内径が長手方向に沿って均一であってもよい。本実施形態では、貫通孔部１８はテーパ状を呈している。この貫通孔部１８は、基端部１４ａにおける開口の内径より、先端部１４ｂにおける開口の内径のほうが大きい。これは、装着用糸３を先端部１４ｂ側から貫通孔部１８に挿通しやすくするためである。しかし、かかる構成には限定されない。疑似餌１の組み立て手順に合わせて、基端部１４ａ側及び先端部１４ｂ側のいずれかの内径を大きくすればよい。
【００２１】
筒状部１４の先端部１４ｂの外周面の一部、及び、挟持片１５の先端部１５ｂの外周面には、それぞれ、係止凸部１９、２０が外方に向けて形成されている。筒状部１４の係止凸部１９の形成位置は、先端部１４ｂの外周面のうちの、挟持空間１７と反対側の面である。挟持片１５の係止凸部２０の形成位置は、先端部１５ｂの、挟持空間１７と反対側の面である。これら係止凸部１９、２０は、取付部材１２の外周面に嵌着された弾性リング１３が、容易に脱落することを防止するためのものである。取付部材１２に嵌着された弾性リング１３は、係止凸部１９、２０に係止することにより、脱落が防止される。
【００２２】
図３を参照しつつ、上記疑似餌１の組み立て手順の一例が説明される。まず、取付部材１２の筒状部１４と挟持片１５との間の挟持空間１７に、スカート８及びネクタイ９の略中央部が挿入される（図３（ａ））。次いで、弾性リング１３が、取付部材１２の挟持空間１７の開放側（取付部材１２の先端部１２ｂ側）から、係止凸部１９、２０を越えて取付部材１２の外周面に嵌着される（図３（ａ）、（ｂ））。この状態では、スカート８及びネクタイ９は、弾性リング１３によって脱落が阻止される。次いで、筒状部１４の先端側１４ｂから、その貫通孔部１８に装着用糸３が挿通される（図３（ｃ））。このとき、装着用糸３は既にヘッド２の貫通孔２ａに挿通されていてもよい。次いで、装着用糸３のフックアイ５にフックアセンブリー７が連結され、ラインアイ４にライン６が連結される（図１）。
【００２３】
上記図１に示される状態では、取付部材１２の挟持空間１７は弾性リング１３によって閉止されているので、スカート８及びネクタイ９が脱落することは困難である。さらに、弾性リング１３は、係止凸部１９、２０に係止することにより、取付部材１２の先端１２ｂ側から脱落することは困難である。従って、スカート８及びネクタイ９の脱落が防止される。一方、弾性リング１３が、万が一、取付部材１２の基端１２ａ側から抜け出たとしても、スカート８及びネクタイ９は、挟持空間１７に保持された状態で、弾性リング１３によって束縛されるので、脱落することは困難である。
【００２４】
スカート８及びネクタイ９は、その中央部が取付部材１２の挟持空間１７において挟持される。スカート８及びネクタイ９の左右の両側部分が、取付部材１２の左右両側に概ね対称に位置することになる。ライン６が引かれることにより、スカート８及びネクタイ９の左右の両側部分にほぼ均等に水の抵抗が加わる。その結果、スカート８及びネクタイ９は、ヘッド２の左右両側で同様に揺れ動き、魚に対して効果的にアピールする。一方、前述した従来の疑似餌５１（図４）では、そのスカート５８及びネクタイ５９が、ゴムリング６２を前後方向（装着具５３やライン５６の長手方向）に挿通されて取り付けられている。従って、スカート５８及びネクタイ５９の左右の両側部分に対し、水の抵抗が均等には加わらない。また、スカート５８及びネクタイ５９に対して、これらが効果的に揺れ動くようには水の抵抗が加わらない。とくに、スカート５８及びネクタイ５９のうち、ゴムリング６２の後方に向けて延びる部分の動きが悪くなる。その結果、従来の疑似餌５１では、本実施形態に係る疑似餌１のような魚に対するアピール性を発揮するのが難しい。
【００２５】
以上説明された実施形態では、装着用糸３が採用されている。しかし、本発明ではかかる構成には限定されない。例えば、装着用糸３の採用に代えて、図１に示される鉤素１０より長い鉤素（図示せず）が用いられてもよい。すなわち、図１における装着用糸３と鉤素１０とが一体になったものが採用されてもよい。この場合、鉤素の端部にラインアイが形成され、そこにライン６が連結される。この装着用糸兼用の鉤素が用いられる場合、組み立て手順は、図３（ｃ）における取付部材１２の左右の向きが逆となる。その上で、鉤素のラインアイ側端部が、筒状部１４の貫通孔部１８の先端部１４ｂ側から挿通される。又は、上記手順に代えて、基端部１４ａにおける貫通孔部１８の開口の内径が、先端部１４ｂにおける貫通孔部１８の開口の内径より大きい取付部材が用いられてもよい。その場合は、鉤素は、図３（ｃ）に示された取付部材１２の向きのまま、その貫通孔部１８に基端１４ｂ側から挿通される。
【産業上の利用可能性】
【００２６】
本発明に係る疑似餌は、鯛のみならず、太刀魚、ヒラメ、アイナメ、マゴチ、フグ等の種々の魚をターゲットにした釣りに適している。
【符号の説明】
【００２７】
１・・・疑似餌
２・・・ヘッド
３・・・装着用糸
６・・・ライン
７・・・フックアセンブリー
８・・・スカート
９・・・ネクタイ
１０・・・鉤素
１１・・・フック
１２・・・取付部材
１３・・・弾性リング
１４・・・筒状部
１５・・・挟持片
１６・・・連結部
１７・・・挟持空間
１８・・・（筒状部の）貫通孔部
１９・・・（筒状部の）係止凸部
２０・・・（挟持片の）係止凸部
【図１】
0005806582.tif 000002
【図２】
0005806582.tif 000003
【図３】
0005806582.tif 000004
【図４】
0005806582.tif 000005